(57)【要約】【課題】ＧＵＩなどの高度なユーザインターフェイスを具備していない電子機器であっても、ＤＬＮＡのＤＭＣの機能を担うことができるようにする。【解決手段】一実施形態に係るコンテンツ配信システムは、コンテンツデータを配信するＤＭＳ機能部２２１と、再生すべきコンテンツデータを指示するＤＭＣ機能部２２２と、ＤＭＣ機能部２２２からの指示に従って、ＤＭＳ機能部２２１からコンテンツデータを取得して再生するＤＭＲ機能部３３１と、ＤＭＣ機能部２２２を自動制御するためのＤＭＣ制御部２２３と、を備え、ＤＭＣ制御部２２３は、所定のトリガを検知した場合に、コンテンツデータの再生をＤＭＲ機能部３３１に指示するようＤＭＣ機能部２２２を制御する。【選択図】図６
2012249011.tif 000002
【特許請求の範囲】
【請求項１】
コンテンツデータを配信するＤＭＳ機能部と、
再生すべきコンテンツデータを指示するＤＭＣ機能部と、
前記ＤＭＣ機能部からの指示に従って、前記ＤＭＳ機能部からコンテンツデータを取得して再生するＤＭＲ機能部と、を有し、
ＤＬＮＡに基づいて構成されたコンテンツ配信システムであって、
前記ＤＭＣ機能部を自動制御するためのＤＭＣ制御部を備え、
前記ＤＭＣ制御部は、所定のトリガを検知した場合に、コンテンツデータの再生を前記ＤＭＲ機能部に指示するよう前記ＤＭＣ機能部を制御することを特徴とするコンテンツ配信システム。
【請求項２】
前記ＤＭＲ機能部は、ＡＶ機器に搭載され、
前記ＤＭＣ機能部及び前記ＤＭＣ制御部は、前記ＡＶ機器との通信が可能な電子機器に搭載されることを特徴とする請求項１に記載のコンテンツ配信システム。
【請求項３】
前記ＤＭＣ制御部は、前記ＤＭＳ機能部から配信すべきコンテンツデータの一覧である配信コンテンツリストを管理し、
前記ＤＭＣ制御部は、所定のトリガを検知した場合に、該検知したトリガに応じたコンテンツデータを前記配信コンテンツリストの中から選択し、該選択したコンテンツデータの再生を前記ＤＭＲ機能部に指示するよう前記ＤＭＣ機能部を制御することを特徴とする請求項２に記載のコンテンツ配信システム。
【請求項４】
前記ＤＭＣ制御部は、前記配信コンテンツリスト中のコンテンツデータ毎に配信対象時刻を管理し、
前記所定のトリガとは、現在時刻が何れかのコンテンツデータの配信対象時刻になったことであり、
前記ＤＭＣ制御部は、現在時刻が何れかのコンテンツデータの配信対象時刻になったことを検知した場合に、該配信対象時刻に対応するコンテンツデータを前記配信コンテンツリストの中から選択し、該選択したコンテンツデータの再生を前記ＤＭＲ機能部に指示するよう前記ＤＭＣ機能部を制御することを特徴とする請求項３に記載のコンテンツ配信システム。
【請求項５】
前記所定のトリガとは、前記電子機器がサーバ機器からの配信要求を受信したことであり、
前記ＤＭＣ制御部は、前記電子機器が前記サーバ機器からの配信要求を受信したことを検知した場合に、該配信要求に対応するコンテンツデータを前記配信コンテンツリストの中から選択し、該選択したコンテンツデータの再生を前記ＤＭＲ機能部に指示するよう前記ＤＭＣ機能部を制御することを特徴とする請求項３に記載のコンテンツ配信システム。
【請求項６】
前記ＤＭＣ制御部は、前記配信コンテンツリスト中のコンテンツデータ毎に対象ユーザ属性を管理し、
前記所定のトリガとは、前記ＡＶ機器の周辺にユーザが移動したことであり、
前記ＤＭＣ制御部は、前記ＡＶ機器の周辺にユーザが移動したことを検知した場合に、該ユーザの属性に対応するコンテンツデータを前記配信コンテンツリストの中から選択し、該選択したコンテンツデータの再生を前記ＤＭＲ機能部に指示するよう前記ＤＭＣ機能部を制御することを特徴とする請求項３に記載のコンテンツ配信システム。
【請求項７】
前記ＤＭＣ制御部は、前記配信コンテンツリスト中のコンテンツデータ毎に配信対象地域を管理し、
前記所定のトリガとは、前記電子機器が何れかのコンテンツデータの配信対象地域へ移動したことであり、
前記ＤＭＣ制御部は、前記電子機器が何れかのコンテンツデータの配信対象地域へ移動したことを検知した場合に、該配信対象地域に対応するコンテンツデータを前記配信コンテンツリストの中から選択し、該選択したコンテンツデータの再生を前記ＤＭＲ機能部に指示するよう前記ＤＭＣ機能部を制御することを特徴とする請求項３に記載のコンテンツ配信システム。
【請求項８】
前記コンテンツデータは、広告に関する映像コンテンツデータであることを特徴とする請求項１〜７の何れか一項に記載のコンテンツ配信システム。
【請求項９】
ＤＭＲ機能部を有するＡＶ機器と通信可能であり、ＤＬＮＡに基づいて構成された電子機器であって、
再生すべきコンテンツデータを指示するＤＭＣ機能部と、
前記ＤＭＣ機能部を自動制御するためのＤＭＣ制御部と、を備え、
前記ＤＭＣ制御部は、所定のトリガを検知した場合に、コンテンツデータの再生を前記ＤＭＲ機能部に指示するよう前記ＤＭＣ機能部を制御することを特徴とする電子機器。
【請求項１０】
コンテンツデータを配信するＤＭＳ機能部を更に備え、
前記ＤＭＣ制御部は、前記ＤＭＳ機能部から配信すべきコンテンツデータの一覧である配信コンテンツリストを管理し、
前記ＤＭＣ制御部は、所定のトリガを検知した場合に、該検知したトリガに応じたコンテンツデータを前記配信コンテンツリストの中から選択し、該選択したコンテンツデータの再生を前記ＤＭＲ機能部に指示するよう前記ＤＭＣ機能部を制御することを特徴とする請求項９に記載の電子機器。
【請求項１１】
前記ＤＭＣ制御部は、前記配信コンテンツリスト中のコンテンツデータ毎に配信対象時刻を管理し、
前記所定のトリガとは、現在時刻が何れかのコンテンツデータの配信対象時刻になったことであり、
前記ＤＭＣ制御部は、現在時刻が何れかのコンテンツデータの配信対象時刻になったことを検知した場合に、該配信対象時刻に対応するコンテンツデータを前記配信コンテンツリストの中から選択し、該選択したコンテンツデータの再生を前記ＤＭＲ機能部に指示するよう前記ＤＭＣ機能部を制御することを特徴とする請求項１０に記載の電子機器。
【請求項１２】
ＤＭＲ機能部を有するＡＶ機器と通信可能であり、再生すべきコンテンツデータを前記ＤＭＲ機能部に指示するＤＭＣ機能部を有する電子機器に、
前記ＤＭＣ機能部を自動制御するためのＤＭＣ制御工程を実行させ、
前記ＤＭＣ制御工程は、
所定のトリガを検知する検知工程と、
該検知したコンテンツデータの再生を前記ＤＭＲ機能部に指示するよう前記ＤＭＣ機能部を制御する制御工程と、を含むことを特徴とする制御プログラム。
【請求項１３】
前記電子機器は、コンテンツデータを配信するＤＭＳ機能部を更に有し、
前記ＤＭＣ制御工程は、
前記ＤＭＳ機能部から配信すべきコンテンツデータの一覧である配信コンテンツリストを管理する管理工程と、
前記検知工程で所定のトリガを検知した場合に、該検知したトリガに応じたコンテンツデータを前記配信コンテンツリストの中から選択する選択工程と、を更に含み、
前記制御工程は、前記選択工程で選択されたコンテンツデータの再生を前記ＤＭＲ機能部に指示するよう前記ＤＭＣ機能部を制御することを特徴とする請求項１２に記載の制御プログラム。
【請求項１４】
前記管理工程は、前記配信コンテンツリスト中のコンテンツデータ毎に配信対象時刻を管理し、
前記所定のトリガとは、現在時刻が何れかのコンテンツデータの配信対象時刻になったことであり、
前記選択工程は、現在時刻が何れかのコンテンツデータの配信対象時刻になったことを検知した場合に、該配信対象時刻に対応するコンテンツデータを前記配信コンテンツリストの中から選択することを特徴とする請求項１３に記載の制御プログラム。
【発明の詳細な説明】
【技術分野】
【０００１】
本発明は、ＤＬＮＡに基づいて構成されたコンテンツ配信システム、電子機器及びその制御プログラムに関する。
【背景技術】
【０００２】
近年、ホームネットワークを構成する様々な電子機器の相互接続を実現し、これらの電子機器が映像や音声などのコンテンツデータをやり取りするために、ＤＬＮＡ（Ｄｉｇｉｔａｌ  Ｌｉｖｉｎｇ  Ｎｅｔｗｏｒｋ  Ａｌｌｉａｎｃｅ）ガイドライン（以下、単に「ＤＬＮＡ」と称する）が策定されている。
【０００３】
ＤＬＮＡでは、電子機器の役割に応じた複数の機器クラスが定義されている（例えば、特許文献１参照）。
【０００４】
これらの機器クラスには、コンテンツデータを保存して配信するＤＭＳ（Ｄｉｇｉｔａｌ  Ｍｅｄｉａ  Ｓｅｒｖｅｒ)と、ＤＭＳからコンテンツデータを取得して再生するＤＭＲ（Ｄｉｇｉｔａｌ  Ｍｅｄｉａ  Ｒｅｎｄｅｒｅｒ）と、ＤＭＲにコンテンツデータの取得や再生などを指示するＤＭＣ（Ｄｉｇｉｔａｌ  Ｍｅｄｉａ  Ｃｏｎｔｒｏｌｌｅｒ)とが含まれる。
【０００５】
例えば、ＤＭＣの機能を有する携帯通信端末がリモコンとなり、ＤＭＳの機能を有するＮＡＳ（Ｎｅｔｗｏｒｋ  Ａｔｔａｃｈｅｄ  Ｓｔｏｒａｇｅ）に保存してあるコンテンツデータの再生を、ＤＭＲの機能を有するＡＶ（Ａｕｄｉｏ  Ｖｉｓｕａｌ）機器に指示することにより、映像コンテンツデータをＮＡＳからＡＶ機器に配信して視聴可能になる。
【先行技術文献】
【特許文献】
【０００６】
【特許文献１】特開２００９−１２２９１１号公報
【発明の概要】
【発明が解決しようとする課題】
【０００７】
ところで、ＤＭＣの機能は、ＧＵＩ（Ｇｒａｐｈｉｃａｌ  Ｕｓｅｒ  Ｉｎｔｅｒｆａｃｅ）などの高度なユーザインターフェイスを具備する電子機器に搭載されることが前提とされている。すなわち、ＤＭＣは、ユーザ操作に応じてＤＭＲを制御するものである。
【０００８】
このため、従来、ＤＬＮＡに基づいて構成されたコンテンツ配信システムでは、ＧＵＩなどの高度なユーザインターフェイスを具備していない電子機器（例えば、ＮＡＳ）がＤＭＣの機能を担うことができない問題があった。
【０００９】
そこで、本発明は、ＧＵＩなどの高度なユーザインターフェイスを具備していない電子機器であっても、ＤＬＮＡのＤＭＣの機能を担うことができるコンテンツ配信システム、電子機器及びその制御プログラムを提供することを目的とする。
【課題を解決するための手段】
【００１０】
上述した課題を解決するために、本発明は以下のような特徴を有している。
【００１１】
まず、本発明に係るコンテンツ配信システムの特徴は、コンテンツデータを配信するＤＭＳ機能部（ＤＭＳ機能部２２１）と、再生すべきコンテンツデータを指示するＤＭＣ機能部（ＤＭＣ機能部２２２）と、前記ＤＭＣ機能部からの指示に従って、前記ＤＭＳ機能部からコンテンツデータを取得して再生するＤＭＲ機能部（ＤＭＲ機能部３３１）と、を有し、ＤＬＮＡに基づいて構成されたコンテンツ配信システム（コンテンツ配信システム１Ａ又は１Ｂ）であって、前記ＤＭＣ機能部を自動制御するためのＤＭＣ制御部（ＤＭＣ制御部２２３）を備え、前記ＤＭＣ制御部は、所定のトリガを検知した場合に、コンテンツデータの再生を前記ＤＭＲ機能部に指示するよう前記ＤＭＣ機能部を制御することを要旨とする。
【００１２】
このようなコンテンツ配信システムによれば、ユーザ操作が無くてもＤＭＣがＤＭＲを制御できるため、ＧＵＩなどの高度なユーザインターフェイスを具備していない電子機器であってもＤＭＣの機能を担うことができるようになる。
【００１３】
本発明に係るコンテンツ配信システムの他の特徴は、上述したコンテンツ配信システムの特徴において、前記ＤＭＲ機能部は、ＡＶ機器（例えば、テレビ受像機３００）に搭載され、前記ＤＭＣ機能部及び前記ＤＭＣ制御部は、前記ＡＶ機器との通信が可能な電子機器（例えば、ＮＡＳ２００Ａ又は無線通信機器２００Ｂ）に搭載されることを要旨とする。
【００１４】
このようなコンテンツ配信システムによれば、ＤＭＣ機能部及びＤＭＣ制御部が搭載される電子機器から、ＤＭＲ機能部が搭載されたＡＶ機器へ、コンテンツデータを自動配信できる。
【００１５】
本発明に係るコンテンツ配信システムの他の特徴は、上述したコンテンツ配信システムの特徴において、前記ＤＭＣ制御部は、前記ＤＭＳ機能部から配信すべきコンテンツデータの一覧である配信コンテンツリストを管理し、前記ＤＭＣ制御部は、所定のトリガを検知した場合に、該検知したトリガに応じたコンテンツデータを前記配信コンテンツリストの中から選択し、該選択したコンテンツデータの再生を前記ＤＭＲ機能部に指示するよう前記ＤＭＣ機能部を制御することを要旨とする。
【００１６】
このようなコンテンツ配信システムによれば、現在の状況に合致したコンテンツデータを自動配信できる。
【００１７】
本発明に係るコンテンツ配信システムの他の特徴は、上述したコンテンツ配信システムの特徴において、前記ＤＭＣ制御部は、前記配信コンテンツリスト中のコンテンツデータ毎に配信対象時刻を管理し、前記所定のトリガとは、現在時刻が何れかのコンテンツデータの配信対象時刻になったことであり、前記ＤＭＣ制御部は、現在時刻が何れかのコンテンツデータの配信対象時刻になったことを検知した場合に、該配信対象時刻に対応するコンテンツデータを前記配信コンテンツリストの中から選択し、該選択したコンテンツデータの再生を前記ＤＭＲ機能部に指示するよう前記ＤＭＣ機能部を制御することを要旨とする。
【００１８】
このようなコンテンツ配信システムによれば、現在の時刻に合致したコンテンツデータを自動配信できる。
【００１９】
本発明に係るコンテンツ配信システムの他の特徴は、上述したコンテンツ配信システムの特徴において、前記所定のトリガとは、前記電子機器がサーバ機器（配信管理サーバ１００）からの配信要求を受信したことであり、前記ＤＭＣ制御部は、前記電子機器が前記サーバ機器からの配信要求を受信したことを検知した場合に、該配信要求に対応するコンテンツデータを前記配信コンテンツリストの中から選択し、該選択したコンテンツデータの再生を前記ＤＭＲ機能部に指示するよう前記ＤＭＣ機能部を制御することを要旨とする。
【００２０】
このようなコンテンツ配信システムによれば、サーバ機器からの要求に合致したコンテンツデータを自動配信できる。
【００２１】
本発明に係るコンテンツ配信システムの他の特徴は、上述したコンテンツ配信システムの特徴において、前記ＤＭＣ制御部は、前記配信コンテンツリスト中のコンテンツデータ毎に対象ユーザ属性を管理し、前記所定のトリガとは、前記ＡＶ機器の周辺にユーザが移動したことであり、前記ＤＭＣ制御部は、前記ＡＶ機器の周辺にユーザが移動したことを検知した場合に、該ユーザの属性に対応するコンテンツデータを前記配信コンテンツリストの中から選択し、該選択したコンテンツデータの再生を前記ＤＭＲ機能部に指示するよう前記ＤＭＣ機能部を制御することを要旨とする。
【００２２】
このようなコンテンツ配信システムによれば、ユーザの属性に合致したコンテンツデータを自動配信できる。
【００２３】
本発明に係るコンテンツ配信システムの他の特徴は、上述したコンテンツ配信システムの特徴において、前記ＤＭＣ制御部は、前記配信コンテンツリスト中のコンテンツデータ毎に配信対象地域を管理し、前記所定のトリガとは、前記電子機器が何れかのコンテンツデータの配信対象地域へ移動したことであり、前記ＤＭＣ制御部は、前記電子機器が何れかのコンテンツデータの配信対象地域へ移動したことを検知した場合に、該配信対象地域に対応するコンテンツデータを前記配信コンテンツリストの中から選択し、該選択したコンテンツデータの再生を前記ＤＭＲ機能部に指示するよう前記ＤＭＣ機能部を制御することを要旨とする。
【００２４】
このようなコンテンツ配信システムによれば、電子機器が移動する場合において現在の地域に合致したコンテンツデータを自動配信できる。
【００２５】
本発明に係るコンテンツ配信システムの他の特徴は、上述したコンテンツ配信システムの特徴において、前記コンテンツデータは、広告に関する映像コンテンツデータであることを要旨とする。
【００２６】
このようなコンテンツ配信システムによれば、上述した特徴と併せて、ＤＬＮＡを利用した安価なデジタルサイネージシステムが実現できる。
【００２７】
本発明に係る電子機器の特徴は、ＤＭＲ機能部（ＤＭＲ機能部３３１）を有するＡＶ機器（例えば、テレビ受像機３００）と通信可能であり、ＤＬＮＡに基づいて構成された電子機器（例えば、ＮＡＳ２００Ａ又は無線通信機器２００Ｂ）であって、再生すべきコンテンツデータを指示するＤＭＣ機能部（ＤＭＣ機能部２２２）と、前記ＤＭＣ機能部を自動制御するためのＤＭＣ制御部（ＤＭＣ制御部２２３）と、を備え、前記ＤＭＣ制御部は、所定のトリガを検知した場合に、コンテンツデータの再生を前記ＤＭＲ機能部に指示するよう前記ＤＭＣ機能部を制御することを要旨とする。
【００２８】
本発明に係る電子機器の他の特徴は、上述した電子機器の特徴において、コンテンツデータを配信するＤＭＳ機能部（ＤＭＳ機能部２２１）を更に備え、前記ＤＭＣ制御部は、前記ＤＭＳ機能部から配信すべきコンテンツデータの一覧である配信コンテンツリストを管理し、前記ＤＭＣ制御部は、所定のトリガを検知した場合に、該検知したトリガに応じたコンテンツデータを前記配信コンテンツリストの中から選択し、該選択したコンテンツデータの再生を前記ＤＭＲ機能部に指示するよう前記ＤＭＣ機能部を制御することを要旨とする。
【００２９】
本発明に係る電子機器の他の特徴は、上述した電子機器の特徴において、前記ＤＭＣ制御部は、前記配信コンテンツリスト中のコンテンツデータ毎に配信対象時刻を管理し、前記所定のトリガとは、現在時刻が何れかのコンテンツデータの配信対象時刻になったことであり、前記ＤＭＣ制御部は、現在時刻が何れかのコンテンツデータの配信対象時刻になったことを検知した場合に、該配信対象時刻に対応するコンテンツデータを前記配信コンテンツリストの中から選択し、該選択したコンテンツデータの再生を前記ＤＭＲ機能部に指示するよう前記ＤＭＣ機能部を制御することを要旨とする。
【００３０】
本発明に係る制御プログラムの特徴は、ＤＭＲ機能部を有するＡＶ機器と通信可能であり、再生すべきコンテンツデータを前記ＤＭＲ機能部に指示するＤＭＣ機能部を有する電子機器に、前記ＤＭＣ機能部を自動制御するためのＤＭＣ制御工程を実行させ、前記ＤＭＣ制御工程は、所定のトリガを検知する検知工程と、該検知したコンテンツデータの再生を前記ＤＭＲ機能部に指示するよう前記ＤＭＣ機能部を制御する制御工程と、を含むことを要旨とする。
【００３１】
本発明に係る制御プログラムの他の特徴は、上述した制御プログラムの特徴において、前記電子機器は、コンテンツデータを配信するＤＭＳ機能部を更に有し、前記ＤＭＣ制御工程は、前記ＤＭＳ機能部から配信すべきコンテンツデータの一覧である配信コンテンツリストを管理する管理工程と、前記検知工程で所定のトリガを検知した場合に、該検知したトリガに応じたコンテンツデータを前記配信コンテンツリストの中から選択する選択工程と、を更に含み、前記制御工程は、前記選択工程で選択されたコンテンツデータの再生を前記ＤＭＲ機能部に指示するよう前記ＤＭＣ機能部を制御することを要旨とする。
【００３２】
本発明に係る制御プログラムの他の特徴は、上述した制御プログラムの特徴において、前記管理工程は、前記配信コンテンツリスト中のコンテンツデータ毎に配信対象時刻を管理し、前記所定のトリガとは、現在時刻が何れかのコンテンツデータの配信対象時刻になったことであり、前記選択工程は、現在時刻が何れかのコンテンツデータの配信対象時刻になったことを検知した場合に、該配信対象時刻に対応するコンテンツデータを前記配信コンテンツリストの中から選択することを要旨とする。
【発明の効果】
【００３３】
本発明によれば、ＧＵＩなどの高度なユーザインターフェイスを具備していない電子機器であっても、ＤＬＮＡのＤＭＣの機能を担うことができるコンテンツ配信システム、電子機器及びその制御プログラムを提供できる。
【図面の簡単な説明】
【００３４】
【図１】第１実施形態に係るコンテンツ配信システムの全体構成図である。
【図２】第１実施形態に係るＮＡＳのハードウェア構成図である。
【図３】第１実施形態に係るＮＡＳのソフトウェア構成図である。
【図４】第１実施形態及び第２実施形態に係るテレビ受像機のハードウェア構成図である。
【図５】第１実施形態及び第２実施形態に係るテレビ受像機のソフトウェア構成図である。
【図６】第１実施形態及び第２実施形態に係るコンテンツ配信システムの動作シーケンス図である。
【図７】第２実施形態に係るコンテンツ配信システムの全体構成図である。
【図８】第２実施形態に係る無線通信機器のハードウェア構成図である。
【図９】第２実施形態に係る無線通信機器のソフトウェア構成図である。
【発明を実施するための形態】
【００３５】
図面を参照して、本発明の第１実施形態、第２実施形態、及びその他の実施形態を説明する。以下の各実施形態における図面において、同一又は類似の部分には同一又は類似の符号を付す。
【００３６】
［第１実施形態］
（コンテンツ配信システムの全体構成）
まず、本実施形態に係るコンテンツ配信システムの全体構成を説明する。図１は、本実施形態に係るコンテンツ配信システム１Ａの全体構成図である。
【００３７】
図１に示すように、コンテンツ配信システム１Ａは、配信管理サーバ１００と、ＮＡＳ２００Ａと、複数のテレビ受像機３００（３００＃１〜＃３）とを有する。本実施形態において、ＮＡＳ２００Ａは電子機器に相当し、テレビ受像機３００はＡＶ機器に相当する。
【００３８】
配信管理サーバ１００は、テレビ受像機３００へのコンテンツデータの配信を管理するためのサーバである。本実施形態では、コンテンツデータとは、広告に関する映像コンテンツデータである。配信管理サーバ１００は、インターネット１０に接続されている。
【００３９】
ＮＡＳ２００Ａは、データ保存・管理に特化したファイルサーバであり、データ管理を行うためのファイルシステムや、ネットワーク通信を行うためのネットワーク通信機能を具備する。ＮＡＳ２００Ａは、ホームネットワークなどのＬＡＮ（Ｌｏｃａｌ  Ａｒｅａ  Ｎｅｔｗｏｒｋ）２０に接続されている。ＬＡＮ２０は、図示を省略するルータなどを介して、インターネット１０に接続されている。
【００４０】
テレビ受像機３００は、ネットワーク接続に対応したものである。テレビ受像機３００は、ＬＡＮ２０に接続されている。テレビ受像機３００は、受信したコンテンツデータを再生することによって、映像を表示したり、音声を出力したりする。
【００４１】
本実施形態では、ＮＡＳ２００Ａ及びテレビ受像機３００は、同一の施設Ｆ（例えば、ビルや駅など）に設けられており、ＬＡＮ２０を介して相互に通信を行う。
【００４２】
また、ＮＡＳ２００Ａ及びテレビ受像機３００はＤＬＮＡに対応したものであって、ＮＡＳ２００ＡはＤＬＮＡのＤＭＳ及びＤＭＣのそれぞれの機能を有し、テレビ受像機３００はＤＬＮＡのＤＭＲの機能を有する。
【００４３】
テレビ受像機３００（ＤＭＲ）は、ＮＡＳ２００Ａ（ＤＭＣ）からの指示に従って、ＮＡＳ２００Ａ（ＤＭＳ）からコンテンツデータを取得して再生する。
【００４４】
上述したように、本実施形態に係るコンテンツデータは、広告に関する映像コンテンツデータである。よって、ビルや駅などに設けられた各テレビ受像機３００は、広告のための電子看板として使用されることになる。すなわち、本実施形態に係るコンテンツ配信システム１Ａは、デジタルサイネージシステムに相当する。
【００４５】
（ＮＡＳの構成）
次に、ＮＡＳ２００Ａのハードウェア構成を説明する。図２は、ＮＡＳ２００Ａのハードウェア構成図である。
【００４６】
図２に示すように、ＮＡＳ２００Ａは、ＬＡＮ  インターフェイス（Ｉ／Ｆ）２１０と、プロセッサ２２０と、メモリ２３０と、１又は複数のＨＤＤ（Ｈａｒｄ  Ｄｉｓｋ  Ｄｒｉｖｅ）２４０とを有する。ＬＡＮ  Ｉ／Ｆ２１０、プロセッサ２２０、メモリ２３０、及びＨＤＤ２４０は、バスラインを介して相互に接続されている。
【００４７】
ＬＡＮ  Ｉ／Ｆ２１０は、ＬＡＮ２０に接続され、ＬＡＮ２０を介して通信を行うように構成される。ＬＡＮ  Ｉ／Ｆ２１０は、有線によりＬＡＮ２０に接続されてもよく、無線によりＬＡＮ２０に接続されてもよい。
【００４８】
プロセッサ２２０は、メモリ２３０に記憶されている制御プログラム（ファームウェア）を実行することで、ＮＡＳ２００Ａの各種機能を制御する。
【００４９】
メモリ２３０は、フラッシュメモリ及びＲＡＭ（Ｒａｎｄｏｍ  Ａｃｃｅｓｓ  Ｍｅｍｏｒｙ）を含む。フラッシュメモリは、プロセッサ２２０によって実行される制御プログラムを記憶する。ＲＡＭは、フラッシュメモリから読み出された制御プログラムを一時的に記憶するとともに、プロセッサ２２０の作業領域として使用される。
【００５０】
本実施形態では、メモリ２３０は、テレビ受像機３００に配信すべきコンテンツデータの一覧である配信コンテンツリストを記憶する。詳細には、配信コンテンツリストは、テレビ受像機３００に配信すべきコンテンツデータの識別情報と、該コンテンツデータの配信対象時刻とを対応付けて構成される。
【００５１】
ＨＤＤ２４０は、各種コンテンツデータを記憶するものである。ＨＤＤ２４０は、ディスクアレイとして構成されてもよく、ＲＡＩＤ（Ｒｅｄｕｎｄａｎｔ  Ａｒｒａｙｓ  ｏｆ  Ｉｎｅｘｐｅｎｓｉｖｅ  Ｄｉｓｋｓ）を構成するようにしてもよい。本実施形態では、ＨＤＤ２４０は、テレビ受像機３００に配信すべき各コンテンツデータを記憶する。
【００５２】
次に、ＮＡＳ２００Ａのソフトウェア構成を説明する。図３は、ＮＡＳ２００Ａのソフトウェア構成図である。
【００５３】
図３に示すように、プロセッサ２２０は、メモリ２３０が記憶している制御プログラムを実行することによって、ＤＭＳ機能部２２１、ＤＭＣ機能部２２２、及びＤＭＣ制御部２２３の各機能部を構成する。
【００５４】
ＤＭＳ機能部２２１は、ＤＬＮＡのＤＭＳの機能に相当し、コンテンツデータを配信するものである。ＤＭＣ機能部２２２は、ＤＬＮＡのＤＭＣの機能に相当し、再生すべきコンテンツデータをＤＭＲ（本実施形態では、テレビ受像機３００）に対して指示するものである。ＤＭＣ制御部２２３は、ＤＭＣ機能部２２２を自動制御するためのアプリケーションである。
【００５５】
ＤＭＣ制御部２２３は、ＤＭＳ機能部２２１から配信すべきコンテンツデータの一覧である配信コンテンツリスト中のコンテンツデータ毎に配信対象時刻を管理する。上述したように、配信コンテンツリストは、メモリ２３０に記憶されている。また、ＤＭＣ制御部２２３は、内部タイマなどを用いて現在時刻を監視している。
【００５６】
ＤＭＣ制御部２２３は、現在時刻が何れかのコンテンツデータの配信対象時刻になったことを検知した場合に、該配信対象時刻に対応するコンテンツデータを配信コンテンツリストの中から選択する。そして、ＤＭＣ制御部２２３は、該選択したコンテンツデータの再生をＤＭＲ機能部３３１に指示するようＤＭＣ機能部２２２を制御する。
【００５７】
（テレビ受像機の構成）
次に、テレビ受像機３００のハードウェア構成を説明する。図４は、テレビ受像機３００のハードウェア構成図である。
【００５８】
図４に示すように、テレビ受像機３００は、チューナユニット３１０と、ＬＡＮ  Ｉ／Ｆ３２０と、プロセッサ３３０と、メモリ３４０と、ディスプレイ・スピーカ３５０とを有する。チューナユニット３１０、ＬＡＮ  Ｉ／Ｆ３２０、プロセッサ３３０、メモリ３４０、及びディスプレイ・スピーカ３５０は、バスラインを介して相互に接続されている。
【００５９】
チューナユニット３１０は、テレビ放送波を受信して、テレビコンテンツデータを出力する。
【００６０】
ＬＡＮ  Ｉ／Ｆ３２０は、ＬＡＮ２０に接続され、ＬＡＮ２０を介して通信を行うように構成される。ＬＡＮ  Ｉ／Ｆ３２０は、有線によりＬＡＮ２０に接続されてもよく、無線によりＬＡＮ２０に接続されてもよい。
【００６１】
プロセッサ３３０は、メモリ３４０に記憶されている制御プログラム（ファームウェア）を実行することで、テレビ受像機３００の各種機能を制御する。
【００６２】
メモリ３４０は、フラッシュメモリ及びＲＡＭを含む。フラッシュメモリは、プロセッサ３３０によって実行される制御プログラムを記憶する。ＲＡＭは、フラッシュメモリから読み出された制御プログラムを一時的に記憶するとともに、プロセッサ３３０の作業領域として使用される。
【００６３】
ディスプレイ・スピーカ３５０は、チューナユニット３１０が出力するコンテンツデータ又はＬＡＮ  Ｉ／Ｆ３２０が受信したコンテンツデータをプロセッサ３３０が再生することによって、映像を表示したり、音声を出力したりする。
【００６４】
次に、テレビ受像機３００のソフトウェア構成を説明する。図５は、テレビ受像機３００のソフトウェア構成図である。
【００６５】
図５に示すように、プロセッサ３３０は、メモリ３４０が記憶している制御プログラムを実行することによって、ＤＬＮＡのＤＭＲの機能に相当するＤＭＲ機能部３３１を構成する。ＤＭＲ機能部３３１は、ＮＡＳ２００ＡのＤＭＣ機能部２２２からの指示に従って、ＮＡＳ２００ＡのＤＭＳ機能部２２１からコンテンツデータを取得して再生する。
【００６６】
（コンテンツ配信システムの動作）
次に、コンテンツ配信システム１Ａの動作を説明する。図６は、コンテンツ配信システム１Ａの動作シーケンス図である。
【００６７】
図６に示すように、ステップＳ１０１において、配信管理サーバ１００は、コンテンツデータをＮＡＳ２００ＡのＤＭＳ機能部２２１に配信する。ステップＳ１０２において、ＮＡＳ２００ＡのＤＭＳ機能部２２１は、配信管理サーバ１００からのコンテンツデータを保存する。
【００６８】
ステップＳ１０３において、配信管理サーバ１００は、配信コンテンツリストをＮＡＳ２００ＡのＤＭＣ制御部２２３に配信する。ステップＳ１０４において、ＮＡＳ２００ＡのＤＭＣ制御部２２３は、配信管理サーバ１００からの配信コンテンツリストを保存する。
【００６９】
なお、ステップＳ１０１〜ステップＳ１０４の手順は、定期的に実行される。これにより、ＮＡＳ２００Ａが保存しているコンテンツデータ及び配信コンテンツリストが定期的に更新される。
【００７０】
ステップＳ１０５において、ＮＡＳ２００ＡのＤＭＣ制御部２２３は、テレビ受像機３００のＤＭＲ機能部３３１へのコンテンツデータの配信トリガを検知する。すなわち、ＮＡＳ２００ＡのＤＭＣ制御部２２３は、最新の配信コンテンツリストに基づいて、現在時刻が、保存している何れかのコンテンツデータの配信対象時刻になったことを検知する。
【００７１】
ステップＳ１０６において、ＮＡＳ２００ＡのＤＭＣ制御部２２３は、該配信対象時刻に対応するコンテンツデータを配信コンテンツリストの中から選択する。
【００７２】
ステップＳ１０７において、ＮＡＳ２００ＡのＤＭＣ制御部２２３は、ステップＳ１０６で選択したコンテンツデータを指定して、該コンテンツデータの再生をテレビ受像機３００のＤＭＲ機能部３３１に指示するようＮＡＳ２００ＡのＤＭＣ機能部２２２を制御する。その際、ＮＡＳ２００ＡのＤＭＣ制御部２２３は、ステップＳ１０６で選択したコンテンツデータの識別情報をＮＡＳ２００ＡのＤＭＣ機能部２２２に通知する。なお、コンテンツデータの識別情報としては、例えば該コンテンツデータに設定されたＵＲＬが使用される。
【００７３】
ステップＳ１０８において、ＮＡＳ２００ＡのＤＭＣ機能部２２２は、ＮＡＳ２００ＡのＤＭＣ制御部２２３からの制御に応じて、テレビ受像機３００のＤＭＲ機能部３３１に対して、ステップＳ１０６でＮＡＳ２００ＡのＤＭＣ制御部２２３が選択したコンテンツデータの再生指示を送信する。該再生指示は、該コンテンツデータの識別情報を含む。
【００７４】
ステップＳ１０９において、テレビ受像機３００のＤＭＲ機能部３３１は、ＮＡＳ２００ＡのＤＭＣ機能部２２２からの再生指示に従って、ＮＡＳ２００ＡのＤＭＳ機能部２２１に対して、ステップＳ１０６でＮＡＳ２００ＡのＤＭＣ制御部２２３が選択したコンテンツデータの配信を要求する。その際、ＮＡＳ２００ＡのＤＭＲ機能部３３１は、該コンテンツデータの識別情報をＮＡＳ２００ＡのＤＭＳ機能部２２１に通知する。
【００７５】
ステップＳ１１０において、ＮＡＳ２００ＡのＤＭＳ機能部２２１は、テレビ受像機３００のＤＭＲ機能部３３１からのコンテンツ配信要求に係るコンテンツデータの識別情報に基づいて、テレビ受像機３００のＤＭＲ機能部３３１から配信を要求されたコンテンツデータを保持しているか否かを確認する。
【００７６】
配信を要求されたコンテンツデータをＮＡＳ２００ＡのＤＭＳ機能部２２１が保持している場合（ステップＳ１１０；ＹＥＳ）、ステップＳ１１１において、ＮＡＳ２００ＡのＤＭＳ機能部２２１は、配信を要求されたコンテンツデータをテレビ受像機３００のＤＭＲ機能部３３１に配信する。テレビ受像機３００のＤＭＲ機能部３３１は、要求したコンテンツデータが配信されると、該コンテンツデータを取得し、ステップＳ１１５において該コンテンツデータを再生する。
【００７７】
これに対し、配信を要求されたコンテンツデータをＮＡＳ２００ＡのＤＭＳ機能部２２１が保持していない場合（ステップＳ１１０；ＮＯ）、ステップＳ１１２において、ＮＡＳ２００ＡのＤＭＳ機能部２２１は、該コンテンツデータを配信管理サーバ１００に対して要求する。その際、ＮＡＳ２００ＡのＤＭＳ機能部２２１は、該コンテンツデータの識別情報を配信管理サーバ１００に通知する。
【００７８】
ステップＳ１１３において、配信管理サーバ１００は、配信を要求されたコンテンツデータをＮＡＳ２００ＡのＤＭＳ機能部２２１に配信する。ステップＳ１１４において、ＮＡＳ２００ＡのＤＭＳ機能部２２１は、配信管理サーバ１００から配信されたコンテンツデータをテレビ受像機３００のＤＭＲ機能部３３１に配信する。テレビ受像機３００のＤＭＲ機能部３３１は、該コンテンツデータを取得して再生する。
【００７９】
（まとめ）
以上説明したように、コンテンツ配信システム１Ａによれば、ＤＭＣ機能部２２２を自動制御するためのＤＭＣ制御部２２３が、所定のトリガを検知した場合に、コンテンツデータの再生をＤＭＲ機能部３３１に指示するようＤＭＣ機能部２２２を制御する。これにより、ユーザ操作が無くてもＤＭＣ機能部２２２がＤＭＲ機能部３３１を制御できるため、ＧＵＩなどの高度なユーザインターフェイスを具備していないＮＡＳ２００ＡであってもＤＭＣの機能を担うことができるようになる。
【００８０】
また、コンテンツ配信システム１Ａによれば、ＤＭＣ機能部２２２及びＤＭＣ制御部２２３が搭載されるＮＡＳ２００Ａから、ＤＭＲ機能部３３１が搭載されたテレビ受像機３００へ、コンテンツデータを自動配信できる。
【００８１】
本実施形態では、コンテンツデータは、広告に関する映像コンテンツデータである。これにより、ＤＬＮＡを利用した安価なデジタルサイネージシステムが実現できる。
【００８２】
さらに、コンテンツ配信システム１Ａによれば、ＤＭＣ制御部２２３は、所定のトリガを検知した場合に、該検知したトリガに応じたコンテンツデータを配信コンテンツリストの中から選択し、該選択したコンテンツデータの再生をＤＭＲ機能部３３１に指示するようＤＭＣ機能部２２２を制御する。これにより、現在の状況に合致したコンテンツデータを自動配信できる。
【００８３】
詳細には、ＤＭＣ制御部２２３は、現在時刻が何れかのコンテンツデータの配信対象時刻になったことを検知した場合に、該配信対象時刻に対応するコンテンツデータを配信コンテンツリストの中から選択し、該選択したコンテンツデータの再生をＤＭＲ機能部３３１に指示するようＤＭＣ機能部２２２を制御する。これにより、現在の時刻に合致したコンテンツデータを自動配信できる。
【００８４】
［第１実施形態の第１変更例］
上述した第１実施形態は、以下のように変更してもよい。
【００８５】
本変更例では、テレビ受像機３００のＤＭＲ機能部３３１へのコンテンツデータの配信トリガとは、ＮＡＳ２００Ａが配信管理サーバ１００からの配信要求を受信したことである。本変更例に係るＮＡＳ２００ＡのＤＭＣ制御部２２３は、上述した第１実施形態とは異なり、配信管理サーバ１００からの配信要求を監視する。
【００８６】
本変更例では、上述したステップＳ１０５において、ＤＭＣ制御部２２３は、配信管理サーバ１００からの配信要求を受信したことを検知する。該配信要求は、テレビ受像機３００のＤＭＲ機能部３３１へ配信すべきコンテンツデータの識別情報を含む。
【００８７】
そして、ステップＳ１０６において、ＤＭＣ制御部２２３は、該配信要求に対応するコンテンツデータを配信コンテンツリストの中から選択し、該選択したコンテンツデータの再生をＤＭＲ機能部３３１に指示するようＤＭＣ機能部２２２を制御する。
【００８８】
このようなコンテンツ配信システム１Ａによれば、配信管理サーバ１００からの要求に合致したコンテンツデータを自動配信できる。
【００８９】
［第１実施形態の第２変更例］
上述した第１実施形態は、以下のように変更してもよい。
【００９０】
本変更例では、ＮＡＳ２００ＡのＤＭＣ制御部２２３は、配信コンテンツリスト中のコンテンツデータ毎に対象ユーザ属性を管理する。詳細には、本変更例に係る配信コンテンツリストは、テレビ受像機３００に配信すべきコンテンツデータの識別情報と、該コンテンツデータの対象ユーザ属性（性別や年齢など）とを対応付けて構成される。
【００９１】
テレビ受像機３００には、テレビ受像機３００の周辺に移動するユーザを撮影するための撮像デバイスが設けられる。テレビ受像機３００は、該撮像デバイスにより得られた画像データをＤＭＣ制御部２２３に送信する。ＤＭＣ制御部２２３は、顔認識エンジンが設けられており、画像データに含まれるユーザ、すなわちテレビ受像機３００の周辺に移動したユーザの属性（性別や年齢など）を検知する。なお、画像データに含まれるユーザの属性（性別や年齢など）を検知する方法は公知であるため、ここでは説明を省略する。
【００９２】
本変更例では、上述したステップＳ１０５において、ＤＭＣ制御部２２３は、テレビ受像機３００の周辺に移動したユーザの属性（性別や年齢など）を検知する。
【００９３】
そして、上述したステップＳ１０６において、ＤＭＣ制御部２２３は、該ユーザの属性に対応するコンテンツデータを配信コンテンツリストの中から選択し、該選択したコンテンツデータの再生をＤＭＲ機能部３３１に指示するようＤＭＣ機能部２２２を制御する。
【００９４】
このようなコンテンツ配信システム１Ａによれば、ユーザの属性に合致したコンテンツデータを自動配信できる。
【００９５】
［第２実施形態］
以下、第２実施形態について、上述した第１実施形態との相違点を説明する。
【００９６】
図７は、本実施形態に係るコンテンツ配信システム１Ｂの全体構成図である。
【００９７】
図７に示すように、コンテンツ配信システム１Ｂは、配信管理サーバ１００と、基地局１１，１２，…と、無線通信機器２００Ｂと、複数のテレビ受像機３００（３００＃１〜＃３）とを有する。本実施形態において、無線通信機器２００Ｂは電子機器に相当し、テレビ受像機３００はＡＶ機器に相当する。
【００９８】
配信管理サーバ１００は、テレビ受像機３００へのコンテンツデータの配信を管理するためのサーバである。本実施形態では、コンテンツデータとは、広告に関する映像コンテンツデータである。配信管理サーバ１００は、インターネット１０に接続されている。
【００９９】
基地局１１，１２，…は、例えばセルラ方式の基地局であり、自局のサービスエリア内の無線通信機器との無線通信を行う。基地局１１，１２，…は、バックホールネットワークを介してインターネット１０に接続されている。
【０１００】
無線通信機器２００Ｂは、例えばセルラ方式の無線通信機器であり、基地局１１，１２，…との無線通信を行う。また、無線通信機器２００Ｂは、ＬＡＮ２０に接続されている。
【０１０１】
テレビ受像機３００は、ネットワーク接続に対応したものである。テレビ受像機３００は、ＬＡＮ２０に接続されている。テレビ受像機３００は、受信したコンテンツデータを再生することによって、映像を表示したり、音声を出力したりする。
【０１０２】
本実施形態では、無線通信機器２００Ｂ及びテレビ受像機３００は、同一の移動体Ｍ（例えば、電車やバスなど）に設けられており、ＬＡＮ２０を介して相互に通信を行う。
【０１０３】
また、無線通信機器２００Ｂ及びテレビ受像機３００はＤＬＮＡに対応したものであって、無線通信機器２００ＢはＤＬＮＡのＤＭＳ及びＤＭＣのそれぞれの機能を有し、テレビ受像機３００はＤＬＮＡのＤＭＲの機能を有する。
【０１０４】
テレビ受像機３００（ＤＭＲ）は、無線通信機器２００Ｂ（ＤＭＣ）からの指示に従って、無線通信機器２００Ｂ（ＤＭＳ）からコンテンツデータを取得して再生する。
【０１０５】
上述したように、本実施形態に係るコンテンツデータは、広告に関する映像コンテンツデータである。よって、電車やバスなどに設けられた各テレビ受像機３００は、広告のための電子看板として使用されることになる。すなわち、本実施形態に係るコンテンツ配信システム１Ｂは、デジタルサイネージシステムに相当する。
【０１０６】
次に、無線通信機器２００Ｂのハードウェア構成を説明する。図８は、無線通信機器２００Ｂのハードウェア構成図である。
【０１０７】
図８に示すように、無線通信機器２００Ｂは、ＬＡＮ  Ｉ／Ｆ２１０ａと、無線通信Ｉ／Ｆ２１０ｂと、プロセッサ２２０と、メモリ２３０とを有する。ＬＡＮ  Ｉ／Ｆ２１０ａ、無線通信Ｉ／Ｆ２１０ｂ、プロセッサ２２０、及びメモリ２３０は、バスラインを介して相互に接続されている。
【０１０８】
ＬＡＮ  Ｉ／Ｆ２１０ａは、ＬＡＮ２０に接続され、ＬＡＮ２０を介して通信を行うように構成される。ＬＡＮ  Ｉ／Ｆ２１０ａは、有線によりＬＡＮ２０に接続されてもよく、無線によりＬＡＮ２０に接続されてもよい。
【０１０９】
無線通信Ｉ／Ｆ２１０ｂは、基地局１１，１２，…に無線により接続され、基地局１１，１２，…を介して通信を行うように構成される。
【０１１０】
プロセッサ２２０は、メモリ２３０に記憶されている制御プログラム（ファームウェア）を実行することで、無線通信機器２００Ｂの各種機能を制御する。
【０１１１】
メモリ２３０は、フラッシュメモリ及びＲＡＭを含む。フラッシュメモリは、プロセッサ２２０によって実行される制御プログラムを記憶したり、コンテンツデータを記憶したりする。ＲＡＭは、フラッシュメモリから読み出された制御プログラムを一時的に記憶するとともに、プロセッサ２２０の作業領域として使用される。
【０１１２】
本実施形態では、メモリ２３０は、テレビ受像機３００に配信すべきコンテンツデータの一覧である配信コンテンツリストを記憶する。詳細には、配信コンテンツリストは、テレビ受像機３００に配信すべきコンテンツデータの識別情報と、該コンテンツデータの配信対象時刻とを対応付けて構成される。また、本実施形態では、メモリ２３０は、テレビ受像機３００に配信すべき各コンテンツデータを記憶する。
【０１１３】
次に、無線通信機器２００Ｂのソフトウェア構成を説明する。図９は、無線通信機器２００Ｂのソフトウェア構成図である。
【０１１４】
図９に示すように、プロセッサ２２０は、メモリ２３０が記憶している制御プログラムを実行することによって、ＤＭＳ機能部２２１、ＤＭＣ機能部２２２、及びＤＭＣ制御部２２３の各機能部を構成する。ＤＭＳ機能部２２１、ＤＭＣ機能部２２２、及びＤＭＣ制御部２２３のそれぞれの機能は、上述した第１実施形態と同様である。
【０１１５】
また、本実施形態に係るテレビ受像機３００の構成は、上述した第１実施形態と同様である。
【０１１６】
さらに、本実施形態に係るコンテンツ配信システム１Ｂの動作については、図６における無線通信機器２００Ｂを無線通信機器２００Ｂと読み替えればよい。
【０１１７】
以上説明したように、本実施形態に係るコンテンツ配信システム１Ｂによれば、第１実施形態と同様の効果を得ることができる。
【０１１８】
［第２実施形態の第１変更例］
上述した第２実施形態は、上述した第１実施形態の第１変更例と同様の変更を加えてもよい。すなわち、本変更例では、テレビ受像機３００のＤＭＲ機能部３３１へのコンテンツデータの配信トリガとは、無線通信機器２００Ｂが配信管理サーバ１００からの配信要求を受信したことである。このようなコンテンツ配信システム１Ｂによれば、配信管理サーバ１００からの要求に合致したコンテンツデータを自動配信できる。
【０１１９】
［第２実施形態の第２変更例］
上述した第２実施形態は、上述した第１実施形態の第２変更例と同様の変更を加えてもよい。すなわち、無線通信機器２００ＢのＤＭＣ制御部２２３は、配信コンテンツリスト中のコンテンツデータ毎に対象ユーザ属性を管理している。無線通信機器２００ＢのＤＭＣ制御部２２３は、テレビ受像機３００からの画像データに含まれるユーザ、すなわちテレビ受像機３００の周辺に移動したユーザの属性（性別や年齢など）を検知し、該ユーザの属性に対応するコンテンツデータの再生をＤＭＲ機能部３３１に指示するようＤＭＣ機能部２２２を制御する。このようなコンテンツ配信システム１Ａによれば、ユーザの属性に合致したコンテンツデータを自動配信できる。
【０１２０】
［第２実施形態の第３変更例］
さらに、上述した第２実施形態は、以下のように変更してもよい。
【０１２１】
本変更例では、ＤＭＣ制御部２２３は、配信コンテンツリスト中のコンテンツデータ毎に配信対象地域を管理する。配信対象地域は、例えば、基地局１１，１２，…の情報から得られる位置情報に基づいて定められる。なお、基地局１１，１２，…の情報から位置情報を得る方法は公知であるため、ここでは説明を省略する。
【０１２２】
ＤＭＣ制御部２２３は、基地局１１，１２，…の情報から得られる位置情報に基づいて、無線通信機器２００Ｂが何れかのコンテンツデータの配信対象地域へ移動したことを検知する。
【０１２３】
ＤＭＣ制御部２２３は、無線通信機器２００Ｂが何れかのコンテンツデータの配信対象地域へ移動したことを検知した場合に、該配信対象地域に対応するコンテンツデータを配信コンテンツリストの中から選択し、該選択したコンテンツデータの再生をＤＭＲ機能部３３１に指示するようＤＭＣ機能部２２２を制御する。
【０１２４】
このようなコンテンツ配信システム１Ｂによれば、無線通信機器２００Ｂが移動する場合において現在の地域に合致したコンテンツデータを自動配信できる。
【０１２５】
［その他の実施形態］
上記のように、本発明は各実施形態によって記載したが、この開示の一部をなす論述及び図面はこの発明を限定するものであると理解すべきではない。この開示から当業者には様々な代替実施形態、実施例及び運用技術が明らかとなる。
【０１２６】
上述した各実施形態では、ＤＭＲ機能部が搭載されるＡＶ機器の一例としてテレビ受像機３００を挙げたが、ＤＭＲ機能部が搭載されるＡＶ機器であればよく、テレビ受像機３００に限定されるものではない。
【０１２７】
また、上述した第１実施形態では、本発明に係る電子機器の一例としてＮＡＳ２００Ａを挙げ、上述した第２実施形態では、本発明に係る電子機器の一例として無線通信機器２００Ｂを挙げたが、ＤＭＣ機能部が搭載される電子機器であればよく、ＮＡＳ２００Ａや無線通信機器２００Ｂに限定されるものではない。
【０１２８】
さらに、上述した各実施形態では、広告に関する映像コンテンツデータを配信するためのコンテンツ配信システム１Ａ及び１Ｂを説明したが、広告以外の映像コンテンツデータを配信してもよく、映像コンテンツデータに代えて音声（音楽）コンテンツデータを配信してもよい。
【０１２９】
このように本発明は、ここでは記載していない様々な実施形態等を包含するということを理解すべきである。
【符号の説明】
【０１３０】
１Ａ，１Ｂ…コンテンツ配信システム、１０…インターネット、１１，１２，…基地局、２０…ＬＡＮ、１００…配信管理サーバ、２００Ａ…ＮＡＳ、２００Ｂ…無線通信機器、２２０…プロセッサ、２２１…ＤＭＳ機能部、２２２…ＤＭＣ機能部、２２３…ＤＭＣ制御部、２３０…メモリ、２４０…ＨＤＤ、３００…テレビ受像機、３１０…チューナユニット、３３０…プロセッサ、３３１…ＤＭＲ機能部、３４０…メモリ、３５０…ディスプレイ・スピーカ
【図１】
2012249011.tif 000003
【図２】
2012249011.tif 000004
【図３】
2012249011.tif 000005
【図４】
2012249011.tif 000006
【図５】
2012249011.tif 000007
【図６】
2012249011.tif 000008
【図７】
2012249011.tif 000009
【図８】
2012249011.tif 000010
【図９】
2012249011.tif 000011